(57)【要約】【課題】医療機関内における医療情報の伝達経路上に医療情報の種類によっては取り扱うことのできない非対応機器が配置されている場合に、非対応機器よりも伝達経路上下流に配置されており非対応機器から医療情報を受信した対応機器が非対応機器において取り扱うことができず欠落した医療情報を補填することが可能な対応機器であるコード対応医療情報処理装置及び医療情報処理システムを提供する。【解決手段】通信ネットワークを介して医療情報の送受信をするものであり、テキスト化された医療情報とコード化された医療情報との両形態の医療情報を取り扱うことが可能なコード対応医療情報処理装置であって、テキスト化された前記医療情報のみを取り扱うコード非対応医療情報処理装置において欠落したコード化された医療情報を補填する処理を行う。【選択図】図８
2015095026.tif 000002
【特許請求の範囲】
【請求項１】
通信ネットワークを介して医療情報の送受信をするものであり、テキスト化された前記医療情報とコード化された前記医療情報との前記医療情報を取り扱うことが可能なコード対応医療情報処理装置であって、
テキスト化された前記医療情報のみを取り扱うコード非対応医療情報処理装置において取り扱いができずに欠落したコード化された前記医療情報を受信し、欠落したコード化された前記医療情報を補填する処理を行うことを特徴とするコード対応医療情報処理装置。
【請求項２】
前記コード非対応医療情報処理装置から前記医療情報を受信した際、テキスト化された前記医療情報内に格納されているコード化された前記医療情報を展開することで、前記コード非対応医療情報処理装置において取り扱われなかったコード化された前記医療情報を補填する処理を行うことを特徴とする請求項１に記載のコード対応医療情報処理装置。
【請求項３】
前記コード非対応医療情報処理装置から前記医療情報を受信した際、テキスト化された前記医療情報とコード化された前記医療情報との対応を示すマッピングテーブルを利用してテキスト化された前記医療情報内に格納されているコード化された前記医療情報を展開することで、前記コード非対応医療情報処理装置において取り扱われなかったコード化された前記医療情報を補填する処理を行うことを特徴とする請求項１に記載のコード対応医療情報処理装置。
【請求項４】
前記コード対応医療情報処理装置において前記医療情報を受信した際、受信した前記医療情報がテキスト化された前記医療情報がなくコード化された前記医療情報のみである場合、コード化された前記医療情報内に格納されているテキスト化された前記医療情報を抜き出して補填する処理を行うことを特徴とする請求項１に記載のコード対応医療情報処理装置。
【請求項５】
通信ネットワークを介して医療情報の送受信をするものであり、テキスト化された前記医療情報とコード化された前記医療情報との前記医療情報を取り扱うことが可能なコード対応医療情報処理装置と、
前記医療情報のうち、テキスト化された前記医療情報のみを取り扱うコード非対応医療情報処理装置と、を備え、
前記医療機関内で前記医療情報を伝達する伝達経路の前記コード対応医療情報処理装置よりも上流に配置されている前記コード非対応医療情報処理装置において取り扱いができずに欠落したコード化された前記医療情報を前記コード対応医療情報処理装置が受信した際に、前記コード対応医療情報処理装置が前記欠落したコード化された前記医療情報を補填する処理を行うことを特徴とする医療情報処理システム。
【請求項６】
前記コード対応医療情報処理装置のうち、前記伝達経路において前記コード非対応医療情報処理装置よりも上流に位置する第１のコード対応医療情報処理装置は、前記コード非対応医療情報処理装置に対して前記医療情報を送信するに当たって、テキスト化された前記医療情報内にコード化された前記医療情報をシリアライズして格納する処理を行うことを特徴とする請求項５に記載の医療情報処理システム。
【請求項７】
前記コード対応医療情報処理装置のうち、前記伝達経路において前記コード非対応医療情報処理装置よりも下流に位置する第２のコード対応医療情報処理装置は、前記コード非対応医療情報処理装置から前記医療情報を受信した際、テキスト化された前記医療情報内に格納されているコード化された前記医療情報を展開することで、前記コード非対応医療情報処理装置において取り扱われなかったコード化された前記医療情報を補填する処理を行うことを特徴とする請求項５または請求項６に記載の医療情報処理システム。
【請求項８】
前記コード対応医療情報処理装置のうち、前記伝達経路において前記コード非対応医療情報処理装置よりも下流に位置する第２のコード対応医療情報処理装置は、前記コード非対応医療情報処理装置から前記医療情報を受信した際、テキスト化された前記医療情報とコード化された前記医療情報との対応を示すマッピングテーブルを利用してテキスト化された前記医療情報内に格納されているコード化された前記医療情報を展開することで、前記コード非対応医療情報処理装置において取り扱われなかったコード化された前記医療情報を補填する処理を行うことを特徴とする請求項５または請求項６に記載の医療情報処理システム。
【請求項９】
前記第２のコード対応医療情報処理装置は、テキスト化された前記医療情報からコード化された前記医療情報を展開する際に利用される前記マッピングテーブルについて、前記医療機関内での前記医療情報の伝達についてのトランザクションの経過とともに、その内容の充実を図ることを特徴とする請求項８に記載の医療情報処理システム。
【請求項１０】
前記コード対応医療情報処理装置において前記医療情報を受信した際、受信した前記医療情報がテキスト化された前記医療情報がなくコード化された前記医療情報のみである場合、コード化された前記医療情報内に格納されているテキスト化された前記医療情報を抜き出して補填する処理を行うことを特徴とする請求項５に記載の医療情報処理システム。
【発明の詳細な説明】
【技術分野】
【０００１】
本発明の実施の形態は、コード対応医療情報処理装置及び医療情報処理システムに関する。
【背景技術】
【０００２】
近年、医療機関内において様々な電子的な機器が使用されるに伴って、取り扱われる医療情報も電子的な情報となり、医療機関内に構築される様々なシステムを介して各機器の間でやり取りされている。例えば、医用画像診断装置において検査が行われる場合、検査予約を受け付けた機器から検査予約に関する情報が医用画像診断装置に対して提供される。この際、例えば、検査予約に関する情報として患者に関する情報のみならず、検査の手技、手法に関する情報まで含んで対象となる医用画像診断装置等に送信される（特許文献１参照）。
【先行技術文献】
【特許文献】
【０００３】
【特許文献１】特開２００７−１９０１８３号公報
【発明の概要】
【発明が解決しようとする課題】
【０００４】
しかしながら、上記特許文献１において開示されている発明では、次の点について配慮がなされていない。
【０００５】
すなわち、医療情報には様々な形式が存在する。医用画像診断装置等で利用できる電子的な情報であるものの、例えば、胸部を撮影、という指示が、例えば単なるテキストの情報（プレーンテキスト）である場合もある。但しテキストの情報は自由な記載が可能であるため、このように規格として統一されていない情報を医療情報として使用すると、伝達経路が上流から下流へと行くに従って正確に伝わらない可能性がある。そこで、テキスト情報の形式から何らかコード化された情報となれば一意性を持つ情報として不正確な伝達を避けることができる。医療機関内において取り扱われる医療情報についても電子的な医療情報を取り扱う機器が増えるに伴って段々とコード化されてきている。
【０００６】
一方で、医療情報がコード化されてくると、当該コード化された医療情報を扱える機器と扱えない機器とが存在することも考えられる。すなわち、医療機関内における医療情報の伝達経路に配置される機器において、取り扱える医療情報の範囲に広狭があると、特に取り扱えない医療情報が存在する機器においては、当該医療情報がロスト（取り扱えないことからスルー（読まないで捨てる））する状態になる。
【０００７】
つまり医療機関内において上流から下流へと医療情報が流れる中で上流ではあるまとまりであった医療情報が伝達経路を経るうちに取り扱えないが故に、途中の機器において医療情報の範囲が減縮されてしまい、その後は、減縮された状態の情報が流れていくことになる。従って、医療機関内を巡る医療情報をロストすることなく取り扱うには、取り扱えない医療情報を持つ機器に全体の機器の医療情報の取り扱いの範囲を合わせなければならない。
【０００８】
しかしながらこれでは、医療機関内で取り扱うことのできる医療情報が限定されたままでいつまでも例えば、コード化された医療情報を扱うことはできない。また、せっかく最新の機器が導入されても十分な医療情報が提供されず当該機器が持つ性能を十分に生かすことはできないことにもなりかねない。
【０００９】
本発明は上記課題を解決するためになされたものであり、本発明の目的は、医療機関内における医療情報の伝達経路上に医療情報の種類によっては取り扱うことのできない非対応機器が配置されている場合に、非対応機器よりも伝達経路上下流に配置されており非対応機器から医療情報を受信した対応機器が非対応機器において取り扱うことができず欠落した医療情報を補填することが可能な対応機器であるコード対応医療情報処理装置及び医療情報処理システムを提供することにある。
【課題を解決するための手段】
【００１０】
請求項１に記載の発明の特徴は、通信ネットワークを介して医療情報の送受信をするものであり、テキスト化された医療情報とコード化された医療情報との医療情報を取り扱うことが可能なコード対応医療情報処理装置であって、テキスト化された前記医療情報のみを取り扱うコード非対応医療情報処理装置において取り扱いができずに欠落したコード化された医療情報を受信し、欠落したコード化された医療情報を補填する処理を行う。
【００１１】
請求項５に記載の発明の特徴は、医療情報処理システムにおいて、通信ネットワークを介して医療情報の送受信をするものであり、テキスト化された医療情報とコード化された医療情報との医療情報を取り扱うことが可能なコード対応医療情報処理装置と、医療情報のうち、テキスト化された医療情報のみを取り扱うコード非対応医療情報処理装置と、を備え、医療機関内で医療情報を伝達する伝達経路のコード対応医療情報処理装置よりも上流に配置されているコード非対応医療情報処理装置において取り扱いができずに欠落したコード化された医療情報をコード対応医療情報処理装置が受信した際に、コード対応医療情報処理装置が欠落したコード化された医療情報を補填する処理を行う。
【図面の簡単な説明】
【００１２】
【図１】実施の形態における医療機関内において構築される医療情報処理システムの全体構成を示すブロック図である。
【図２】実施の形態における医療情報処理システムのオーダシステムにて生成される医療情報の例を示す説明図である。
【図３】実施の形態におけるオーダシステムから送信された医療情報についてコード対応医療情報処理装置にて受信した状態を示す説明図である。
【図４】実施の形態におけるオーダシステムから送信された医療情報についてコード非対応医療情報処理装置にて受信した状態を示す説明図である。
【図５】実施の形態における医療情報処理システムのオーダシステムにてコード非対応医療情報処理装置に対して提供するために生成される医療情報の例を示す説明図である。
【図６】実施の形態における医療情報処理システムのオーダシステムにてコード非対応医療情報処理装置に対して提供するために生成される医療情報の別の例を示す説明図である。
【図７】実施の形態におけるコード非対応医療情報処理装置が第１のコード対応医療情報処理装置から医療情報を受信した後に、自身で医療情報を生成した場合のその医療情報の状態を説明する説明図である。
【図８】実施の形態におけるコード非対応医療情報処理装置から送信された医療情報についてコード対応医療情報処理装置にて受信した際に、コード対応医療情報処理装置において医療情報の補填を行う処理について説明する説明図である。
【図９】実施の形態におけるコード非対応医療情報処理装置から送信された医療情報についてコード対応医療情報処理装置にて受信した際に、コード対応医療情報処理装置においてマッピングテーブルを利用して医療情報の補填を行う処理について説明する説明図である。
【図１０】実施の形態におけるマッピングテーブルの一例を示す説明図である。
【図１１】実施の形態における医療情報処理システムの医用画像撮影装置にて生成される医療情報の別の例を示す説明図である。
【図１２】実施の形態におけるコード対応医療情報処理装置から送信された医療情報についてコード対応医療情報処理装置にて受信した際に、コード対応医療情報処理装置において医療情報の補填を行う処理について説明する説明図である。
【発明を実施するための形態】
【００１３】
以下、本発明の実施の形態について図面を参照して詳細に説明する。
【００１４】
図１は、実施の形態における医療機関内において構築される医療情報処理システムＳの全体構成を示すブロック図である。医療情報処理システムＳは、医療機関Ｈ内に構築され、医療機関Ｈ内において日々発生する各種医療情報を処理するためのシステムである。医療情報処理システムＳの構成としては様々な機器を組み合わせることが可能であり、医療機関Ｈごとに異なる。そこで、ここでは、例えば、オーダシステムＯＳ、医用画像撮影装置１、医用画像管理システム（ＰＡＣＳ：Picture Archiving Communication System）２、及び読影装置３がそれぞれ医療情報を送受信できるよう互いに接続されている例を挙げて、以下説明する。
【００１５】
オーダシステムＯＳは、例えば、患者の予約受付や来院受付、或いは、患者情報の登録等、医療情報の基となる情報が集積するシステムである。当該オーダシステムＯＳは、例えば、単独の情報端末であっても、或いは、複数の危機が接続されてシステムとして構成されていても良い。従って、オーダシステムＯＳのみならず、例えば、病院情報管理システム（ＨＩＳ：Hospital Information System）、放射線部門情報管理システム（ＲＩＳ：Radiological Information System）、といった医療機関内に構築された各種管理システムであっても良い。
【００１６】
なお、ここで「医療情報」には、患者自身の情報、患者のバイタル情報、或いは、患者に行われた処置やその結果、カルテに関する情報、撮影された医用画像等、医療機関内において取り扱われる様々な情報が含まれる。また「医療情報」に含まれる情報は上述した情報に限られず、「医療情報」にどのような情報を含めるかについては、任意に設定する事ができる。
【００１７】
オーダシステムＯＳには、様々な医療情報が集積するとともに、例えば、医用画像撮影装置１に対する撮影指示のように、当該医療情報を用いて新たな医療情報の生成も行われる。
【００１８】
医用画像撮影装置１は、被検体を撮影してその内部情報を取得する装置である。医用画像撮影装置１は、上述したように、オーダシステムＯＳから送信された撮影指示（医療情報）に基づいて被検体の撮影を行う。なお、医用画像撮影装置１としては、例えば、Ｘ線ＣＴ装置（computed tomography：コンピュータ断層撮影装置）や、磁気共鳴診断装置（ＭＲＩ：magnetic resonance imaging）等が該当する。さらに広く一般に「モダリティ」として定義される機器を含めても良い。
【００１９】
医用画像管理システム（以下、「ＰＡＣＳ」と表わす）２は、医療機関Ｈ内において生成された各種医療情報を集積する装置、システムである。従って、装置としてであれば、例えば、医用画像を格納、保存するサーバ装置が挙げられ、システムとしてであれば、例えば、ＰＡＣＳ等が挙げられる。図１に示す医療情報処理システムＳでは、医療情報を集積する仕組みとしてＰＡＣＳ２が構築されている。
【００２０】
読影装置３は、医療従事者が医用画像撮影装置１において読影された医用画像を利用して読影を行う装置である。具体的には、当該読影装置３は必要に応じて対象となる医用画像をＰＡＣＳ２から取得して利用する。
【００２１】
なお、オーダシステムＯＳと医用画像撮影装置１との間は、オーダシステムＯＳから送信された医療情報を医用画像撮影装置１において受信した旨の回答を医用画像撮影装置１からオーダシステムＯＳへ戻すことを考慮して、両矢印で結ばれている。また、読影装置３において読影の対象となる医用画像の要求、送信といったやり取りがＰＡＣＳ２と読影装置３との間であることから、ＰＡＣＳ２と読影装置３との間も両矢印で結ばれている。一方、医用画像撮影装置１において撮影され取得された医療情報（医用画像）は、ＰＡＣＳ２へと送り格納してもらうのみであることから、ここでは、医用画像撮影装置１からＰＡＣＳ２へと伸びる矢印で示している。もちろん、ＰＡＣＳ２が医用画像撮影装置１へ医用画像の受信を回答する機能を備えていることを前提にＰＡＣＳ２から医用画像撮影装置１へ向けた矢印を示しても良い。また、読影装置３とオーダシステムＯＳとの間で医療情報のやり取りが行われるようにされていても良いことから、両者の間も両矢印で結ばれている。。
【００２２】
なお、オーダシステムＯＳ、医用画像撮影装置１、ＰＡＣＳ２、及び読影装置３は、通信ネットワークで互いに接続されており、互いの間で、例えば医用画像といった医療情報のやりとりを可能とする。通信ネットワークの例としては、ＬＡＮ（Local Area Network）やインターネット等のネットワークを挙げることができる。また、この通信ネットワークＮで使用される通信規格は、ＤＩＣＯＭ（Digital Imaging and Communication in Medicine）等、いずれの規格であっても良い。
【００２３】
次に、医療情報処理システムＳにおける医療情報のやり取りに関する本願発明の一例を以下に示す。なお、以下の説明においては、次のことを前提として説明を行う。
【００２４】
すなわち、図１にはオーダシステムＯＳ、医用画像撮影装置１、ＰＡＣＳ２、及び読影装置３が示されている。これらの機器に関して、上述したように、オーダシステムＯＳにおいては医療情報を生成する。さらに生成された医療情報基づいて適宜医用画像撮影装置１において撮影が行わる。医用画像撮影装置１において撮影された医用画像（医療情報）は、ＰＡＣＳ２へと送信され、格納、保存される。さらに、ＰＡＣＳ２に格納されている医療情報（医用画像）を用いて読影装置３を使用して医師や技師等の医療従事者が読影を行う。
【００２５】
このように、オーダシステムＯＳにおいて生成された医療情報に基づいて、医療機関Ｈ内に構築された医療情報処理システムＳにて様々な処理が行われる。そして当該処理が各機器において行われる際には、最初にオーダシステムＯＳにおいて生成された医療情報は保存され、各機器をつなぐ医療情報の伝達経路において順々に受け渡される。
【００２６】
つまり、医療情報は、オーダシステムＯＳにおいて生成され、医用画像撮影装置１、ＰＡＣＳ２、読影装置３の順に医療情報の伝達経路（通信ネットワーク）を介して流れていくことになる。従って、オーダシステムＯＳが伝達経路における最も上流にある機器（システム）となり、読影装置３が最も下流にある機器となる。
【００２７】
なお、図１においては、オーダシステムＯＳ、医用画像撮影装置１、ＰＡＣＳ２、読影装置３のいずれのシステム、機器も１つずつ示されている。但し、これら医療情報処理システムＳを構成する各機器の数については、あくまでも任意であり、自由に設定することができる。また、医療情報処理システムＳを構成する機器の種類についてもここではオーダシステムＯＳ等、４種類の機器、システムを挙げているが、これらも任意に接続し、その数を増減することができる。
【００２８】
さらに、医療情報処理システムＳにおいて処理される医療情報には、「テキスト化された医療情報」と「コード化された医療情報」の２種類がある。いずれの医療情報もオーダシステムＯＳ等の機器、システムで、生成、利用する情報であることから、例えば、紙のカルテに手書きされた情報のようなアナログの情報ではなく、デジタルの情報である。前者「テキスト化された医療情報」は、医療情報の内容がテキスト化されている医療情報である。一方、後者の「コード化された医療情報」は、医療情報処理システムＳを構成するいずれの機器においても一意の情報として取り扱いが可能な、コード化された医療情報である。
【００２９】
上述したように、医療分野で利用される機器の中には、「テキスト化された医療情報」はもちろんのこと、「コード化された医療情報」も取り扱うことのできる機器が存在する。ここではこのような機器を「コード対応医療情報処理装置」と表わす。図１に示す医療情報処理システムＳを構成する機器では、オーダシステムＯＳ、ＰＡＣＳ２、及び、読影装置３が、当該「コード対応医療情報処理装置」に該当する。
【００３０】
一方、「テキスト化された医療情報」には対応できる（取り扱うことができる）ものの、「コード化された医療情報」については取り扱うことができない機器も存在する。ここではこのような機器を「コード非対応医療情報処理装置」と表わす。図１に示す医療情報処理システムＳを構成する機器では、医用画像撮影装置１が当該「コード非対応医療情報処理装置」に該当する。
【００３１】
図２は、実施の形態における医療情報処理システムＳのオーダシステムＯＳにて生成される医療情報の例を示す説明図である。当該医療情報において、「＜ｎｅｗ＞」と示されているのは、医療情報処理システムＳを構成する機器において初めて生成された医療情報であることを示している。従って、本発明の実施の形態においては、オーダシステムＯＳが生成した医療情報である。
【００３２】
この医療情報において、「Scheduled Procedure Step Description(0040,0007)」と記載されている情報が「テキスト化された医療情報」に該当する。図２に示す医療情報には、さらに「Scheduled Protocol Code Sequence(0040,0008)」が含まれているが、当該医療情報が「コード化された医療情報」に該当する。このコード化された医療情報には、さらに、「Code Value (0008,0100)」「Coding Scheme Designator (0008,0102)」「Coding Scheme Version (0008,0103)」及び「Code Meaning (0008,0104)」の４つの医療情報が含まれる。なお、これら４つの情報は、「Scheduled Protocol Code Sequence(0040,0008)」に含まれていることから、図２では、これらの情報を示す表記の前に「＞」のマークが付されている。
【００３３】
本発明の実施の形態におけるオーダシステムＯＳはコード対応医療情報処理装置であることから、「テキスト化された医療情報」、「コード化された医療情報」、いずれの医療情報も取り扱うことができる。従って、例えば、医用画像撮影装置１への撮影指示を示す医療情報も上記両者の形態で生成され送信される。上述したように、医療情報処理システムＳの上流で生成された医療情報は、そのまま下流の機器、システムまで順々に受け渡されていく。従って、図２において示される「テキスト化された医療情報」も「コード化された医療情報」のいずれも上流から下流に向けて伝達経路を通って各機器、システムに伝達される。
【００３４】
図３は、実施の形態におけるオーダシステムＯＳから送信された医療情報についてコード対応医療情報処理装置にて受信した状態を示す説明図である。テキスト化された医療情報のみならずコード化された医療情報も取り扱うことのできるコード対応医療情報処理装置において、コード対応医療情報処理装置において生成された医療情報を受信すると、送信されたテキスト化された医療情報及びコード化された医療情報のいずれも受信することができる。図３に示す医療情報の例においては、「＜ｒｅｆ＞」と示されている部分以下が伝達経路において上流にあるコード対応医療情報処理装置から送られてきた医療情報となる。
【００３５】
なお、上述したように、本発明の実施の形態の説明においては、コード対応医療情報処理装置は、１つの医療情報処理システムＳの中に３つ設置されている。従って、混同を避けるために、便宜上、オーダシステムＯＳを第１のコード対応医療情報処理装置、ＰＡＣＳ２を第２のコード対応医療情報処理装置、読影装置３を第３のコード対応医療情報処理装置と表わす。
【００３６】
つまり、第２、或いは、第３のコード対応医療情報処理装置で当該コード対応医療情報処理装置よりも上流に設置されている第１、或いは、第２のコード対応医療情報処理装置において生成された医療情報を受信すると、それぞれ第２、或いは、第３のコード対応医療情報処理装置では、図３の「＜ｒｅｆ＞」に示されるような医療情報を受信し、自身で新たに生成した医療情報については、「＜ｎｅｗ＞」の部分に示される。
【００３７】
このようにコード対応医療情報処理装置で生成された医療情報をコード対応医療情報処理装置にて受信すると、生成された全ての医療情報を受信することができる。一方で、コード対応医療情報処理装置において生成された医療情報を、コード非対応医療情報処理装置において受信すると、図４に示すような医療情報となる。
【００３８】
コード非対応医療情報処理装置では、上述したように、「テキスト化された医療情報」を取り扱うことは可能であるが、「コード化された医療情報」を取り扱うことは不可能である。上述したように「医療情報を取り扱うことができない」ということは、たとえコード化された医療情報を受信しても受信しなかったもの、なかったものとして取り扱われる、ということである。従って、コード対応医療情報処理装置で生成されたコード対応医療情報がコード非対応医療情報処理装置において受信されると、当該コード化された医療情報はなかったものと取り扱われることから欠落してしまう。そのため、その後伝達経路の下流に設置されている機器、システムに向けて医療情報を送信しても、当該コード化された医療情報は送信されない。
【００３９】
つまり、伝達経路の途中にコード非対応医療情報処理装置が設置されていると、上流で生成されたコード化された医療情報は途中のコード非対応医療情報処理装置でなかったものとして取り扱われてしまう（欠落してしまう）ことから、下流に設置されている機器、或いは、システムがコード対応医療情報処理装置であったとしても、当該コード化された医療情報は届かない（受信できない）ことになる。
【００４０】
図４は、実施の形態におけるオーダシステムＯＳから送信された医療情報についてコード非対応医療情報処理装置にて受信した状態を示す説明図である。
【００４１】
図４に示されている医療情報の「＜ｒｅｆ＞」の部分を見ると、濃く示されている医療情報と薄く表示されている医療情報とが見える。コード非対応医療情報処理装置においては、テキスト化された医療情報である、「Scheduled Procedure Step Description(0040,0007)」は受信できることから、濃く示されている。一方、コード化された医療情報である、「Scheduled Protocol Code Sequence(0040,0008)」以下の情報については、取り扱うことができないので、薄く表示されている。
【００４２】
なお、実際には、コード化された医療情報については、取り扱われない（欠落してしまう）ことから、図４のように表示したとしても本来ならば表示されることはない。ここでは、便宜上理解のために図４において欠落してしまうコード化された医療情報についても表示し、欠落してしまうことを表わすために薄い表示としている。
【００４３】
また、コード非対応医療情報処理装置において、コード化された医療情報が取り扱えない、ということは、コード化された医療情報の生成も不可能であるということである。従って、図３の「＜ｎｅｗ＞」の部分に示されているコード対応医療情報処理装置においては生成されるコード化された医療情報もコード非対応医療情報処理装置においては、生成されないことになる（図４参照）。コード非対応医療情報処理装置では、テキスト化された医療情報のみが生成される。
【００４４】
ここで、医療情報処理システムＳを構築するに当たって、医療情報処理システムＳを構成する各機器、システムの全てがコード化された医療情報を取り扱える機器等で揃えることができれば、上述したようなコード非対応医療情報処理装置においてコード化された医療情報が失われてしまうような状況は発生することがない。
【００４５】
しかしながら、医療機関Ｈにおいて医療情報処理システムＳを構成する機器等としてそもそもコード非対応医療情報処理装置が設置されていることもあり得る。また、コード非対応医療情報処理装置が設置されているところ、機器等の入れ替えでコード非対応医療情報処理装置からコード対応医療情報処理装置へとの入れ替えが進む場合もあり得る。すなわち、医療情報処理システムＳにおける医療情報の伝達経路上に、コード対応医療情報処理装置とコード非対応医療情報処理装置とが混在することは大いに考えられる。
【００４６】
そこで、医療情報の伝達経路上に設置されているコード非対応医療情報処理装置よりも下流に設置されるコード対応医療情報処理装置において、コード非対応医療情報処理装置において取り扱われなかったコード化された医療情報を補填することができれば、上述した状況下においても医療機関Ｈ内において医療情報が失われることなく伝達経路上を医療情報が正確に伝達されることになる。
【００４７】
本発明の実施の形態においては、上述した観点から、「テキスト化された医療情報」或いは、「コード化された医療情報」のいずれかが医療情報処理装置において取り扱われず失われてしまったとしても伝達経路上のいずれかの医療情報処理装置において補填することとしている。具体的な補填の方法は以下の通りである。
【００４８】
まず、１つ目の処理方法である。ここでは、コード非対応医療情報処理装置においてコード化された医療情報が取り扱われずテキスト化された医療情報のみが取り扱われた場合に、伝達経路の下流におけるコード対応医療情報処理装置で補填する処理方法について説明する。
【００４９】
この場合、医療情報を生成する際に、いわば事前の処理をしておくことが求められる。ここでは、上述したように、オーダシステムＯＳにおいて医療情報を生成し、当該医療情報に基づいて医用画像撮影装置１において撮影がなされ、取得された医用画像をＰＡＣＳ２に記憶させるといった処理の流れに沿って説明する。
【００５０】
ここでオーダシステムＯＳ及びＰＡＣＳ２がコード対応医療情報処理装置である。但し、説明の便宜上混同することがないように、ここではオーダシステムＯＳが第１のコード対応医療情報処理装置であり、ＰＡＣＳ２が第２のコード対応医療情報処理装置に該当する。また、医用画像撮影装置１がコード非対応医療情報処理装置である。
【００５１】
第１のコード対応医療情報処理装置であるオーダシステムＯＳにおいて医用画像撮影装置１への撮影指示である医療情報が生成される場合、図２にも示す通り、テキスト化された医療情報及びコード化された医療情報の両者が生成される。
【００５２】
但し、生成された医療情報を送信する先である、医用画像撮影装置１はコード非対応医療情報処理装置であることから、テキスト化された医療情報は取り扱われるものの、コード化された医療情報については取り扱われない。
【００５３】
そこで、コード化された医療情報が送信先の医用画像撮影装置１において失われないようにするため、オーダシステムＯＳでは、コード化された医療情報をシリアライズしてテキスト化された医療情報の中に入れ込む（含ませる）処理を行う。ここで「シリアライズ」とは、取り扱う情報を他のソフトウェアや装置等で取り扱えるように変換する処理を示している。
【００５４】
なお、医療情報の伝達経路において、自身よりも下流に設置されている機器がコード非対応医療情報処理装置であるか、或いは、コード対応医療情報処理装置であるかの判断は、医療情報を生成する機器において行われる。具体的には、例えば、医療情報の伝達経路が構築される際に、特にコード非対応医療情報処理装置が伝達経路上に配置されているか否かは事前に了解されているものと考えられる。例えば、機器が保持する装置間の接続性に関する情報であるコンフュギレーションを確認すれば、コード化された医療情報を送信して良いか否かは確認できる。
【００５５】
また、別の対応として、コード対応医療情報処理装置において医療情報を生成する際には、必ず以下に説明する補填の事前準備を行っておく、としても良い。さらに、伝達経路上、上位の機器から下位の機器に対して医療情報を送信する場合には、送信（要求）に対して返信（回答）がされる場合もある。したがって、このような場合には上位の機器が下位の機器からの回答を確認することで、コード化された医療情報を生成するか否かを判断することができる。従って、この場合には、テキスト化された医療情報とコード化された医療情報の双方を生成する。
【００５６】
図５、或いは、図６は、実施の形態における医療情報処理システムのオーダシステムにてコード非対応医療情報処理装置に対して提供するために生成される医療情報の例を示す説明図である。図５と図６とではシリアライズの方法が異なる。すなわち、図５においては、テキスト化された医療情報の後ろに括弧を設け、その内部にコード化された医療情報をカンマで区切って含める方法である。
【００５７】
一方、図６に示す方法では、テキスト化された医療情報の後ろに括弧を設け、その内部にコード化された医療情報をダブルコロンで区切って含める方法である。なお、図５、或いは、図６で示したシリアライズの方法はあくまでも例示であり、その他の方法を用いてシリアライズの処理を行うことは可能である。
【００５８】
図７は、実施の形態におけるコード非対応医療情報処理装置である医用画像撮影装置１が第１のコード対応医療情報処理装置であるオーダシステムＯＳから医療情報を受信した後に、自身で医療情報を生成した場合のその医療情報の状態を説明する説明図である。
【００５９】
すなわち、医用画像撮影装置１では、第１のコード対応医療情報処理装置であるオーダシステムＯＳにおいて生成された医療情報を受信する。上述したように、オーダシステムＯＳでは、テキスト化された医療情報の他、コード化された医療情報をも生成する（図２参照）。
【００６０】
但し、生成された当該医療情報を受信する医用画像撮影装置１はコード非対応医療情報処理装置であるため、コード化された医療情報については取り扱うことができない。オーダシステムＯＳでは、生成した医療情報の送信先がコード非対応医療情報処理装置であることを事前に認識していることから、コード化された医療情報についてはシリアライズの処理を行い、テキスト化された医療情報の中に入れ込む。
【００６１】
このような処理を行うことによって、コード対応医療情報処理装置から医療情報を受信したコード非対応医療情報処理装置では、コード化された医療情報をテキスト化された医療情報として取り扱うことになり、コード非対応医療情報処理装置においてコード化された医療情報が失われる（取り扱われない）状態を回避することができる。
【００６２】
図７は、コード非対応医療情報処理装置である医用画像撮影装置１がコード対応医療情報処理装置であるオーダシステムＯＳから医療情報を受信した状態が示されている。具体的には、図７に示されている医療情報のうち、「＜ｒｅｆ＞」と示されている部分である。ここには、図２で示したテキスト化された医療情報が示されている。これはコード非対応医療情報処理装置の場合、テキスト化された医療情報は取り扱うことができるためであり、一方で、コード化された医療情報については取り扱うことができないため、図４で示すように、そのままの状態のコード化された医療情報については、コード非対応医療情報処理装置において失われてしまう。
【００６３】
但し、図７の「＜ｒｅｆ＞」に示されているように、コード化された医療情報がシリアライズされ、テキスト化された医療情報の中に含まれている状態であれば、コード化された医療情報はテキスト化された医療情報の形式でオーダシステムＯＳから送信されてくることになるため、コード非対応医療情報処理装置である医用画像撮影装置１において受信した際に失われることはない。
【００６４】
図７において「＜ｎｅｗ＞」の領域に示されている医療情報は、医用画像撮影装置１にて生成された新たな医療情報である。但し、上述したように、医用画像撮影装置１は、コード非対応医療情報処理装置であることから、コード対応医療情報処理装置であれば生成されるコード化された医療情報は生成されない。図７においては、生成されないコード化された医療情報が薄い文字で示されている。例えば、「Performed Protocol Code Sequence(0040,0260)」及び当該医療情報以下４つの情報や、「Anatomic Region Sequence (0008,2218)」と示される医療情報である。
【００６５】
一方、医用画像撮影装置１ではテキスト化された医療情報は生成できることから、通常の濃さの文字で示されている「Performed Procedure Step Description(0040,0254)」や「Body Part Examined (0018,0015)」といったテキスト化された医療情報が生成される。
【００６６】
コード非対応医療情報処理装置である医用画像撮影装置１で生成された新たな医療情報（例えば、医用画像）は、医療情報の伝達経路の下流に配置されるＰＡＣＳ２へと送信される。従って、ＰＡＣＳ２では、医用画像撮影装置１から図７に示す医療情報を受信することになる。
【００６７】
図８は、実施の形態におけるコード非対応医療情報処理装置から送信された医療情報についてコード対応医療情報処理装置にて受信した際に、コード対応医療情報処理装置において医療情報の補填を行う処理について説明する説明図である。
【００６８】
図７に示すような医療情報を受信したＰＡＣＳ２では、テキスト化された医療情報内に含まれる、シリアライズ処理されたコード化された医療情報を展開して補填する。上述したように、ＰＡＣＳ２は第２のコード対応医療情報処理装置であり、コード化された医療情報を取り扱うことができる。
【００６９】
ＰＡＣＳ２では、図７に示される医療情報のうち、「＜ｒｅｆ＞」と示されている部分の医療情報を展開する。この部分の医療情報は、テキスト化された医療情報であることから、コード非対応医療情報処理装置である医用画像撮影装置１でも適正に受信し、ＰＡＣＳ２へと送信されている。但し、医用画像撮影装置１が適正に受信し送信したこのテキスト化された医療情報の中には、第１のコード対応医療情報処理装置であるオーダシステムＯＳにおいてシリアライズの処理がなされたコード化された医療情報が含まれている。そこで、このコード化された医療情報を展開する。
【００７０】
その結果、図８の「＜ｒｅｆ＞」以下に示されているように、「Scheduled Procedure Step Description(0040,0007)」というテキスト化された医療情報内に含まれていたコード化された医療情報である「Scheduled Protocol Code Sequence(0040,0008)」が展開されている。そして当該医療情報に含まれる「Code Value (0008,0100)」「Coding Scheme Designator (0008,0102)」「Coding Scheme Version (0008,0103)」及び「Code Meaning (0008,0104)」の４つの医療情報も併せて展開される。
【００７１】
コード対応医療情報処理装置においてこのような補填の処理を行うことによって、医療情報の伝達経路上にコード非対応医療情報処理装置が設置されていても、コード化された医療情報を失うことなく、コード非対応医療情報処理装置よりも下流に設置されている機器においてもコード化された医療情報を欠けることなく正確に受信することができる。
【００７２】
このようにコード非対応医療情報処理装置においてコード化された医療情報が取り扱えないことから、第１のコード対応医療情報処理装置においてコード化された医療情報をシリアライズの処理によってテキスト化された医療情報の中に入れ込み、コード非対応医療情報処理装置においても取り扱うことができるようにする。
【００７３】
そしてシリアライズ処理されたコード化された医療情報を第２のコード対応医療情報処理装置において展開、補填することによって、医療情報の伝達経路にコード非対応医療情報処理装置が設置されていたとしてもコード化された医療情報を失うことなく、コード非対応医療情報処理装置よりも下流にあるコード対応医療情報処理装置においてもコード化された医療情報を取り扱うことができる。
【００７４】
次に、第２のコード対応医療情報処理装置における補填の方法について、上述した方法とは異なる方法を用いて補填を行う方法を説明する。ここでは、コード非対応医療情報処理装置において生成されたテキスト化された医療情報からコード化された医療情報を補填する方法を説明する。
【００７５】
図９は、実施の形態におけるコード非対応医療情報処理装置から送信された医療情報についてコード対応医療情報処理装置にて受信した際に、コード対応医療情報処理装置においてマッピングテーブルを利用して医療情報の補填を行う処理について説明する説明図である。図９に示す医療情報において、上部（「＜ｎｅｗ＞」）に示されている医療情報は、コード非対応医療情報処理装置である医用画像撮影装置１において生成された医療情報である。一方、下部（「＜ｒｅｆ＞」）に示されている医療情報は、医用画像撮影装置１がコード対応医療情報処理装置であるオーダシステムＯＳから受信した医療情報である。
【００７６】
上部の医療情報において、濃い文字で示されている医療情報はテキスト化された医療情報である。コード非対応医療情報処理装置ではテキスト化された医療情報を取り扱うことが可能であり、この上部の医療情報は、コード非対応医療情報処理装置において生成される新たな医療情報はテキスト化された医療情報である。
【００７７】
一方、コード非対応医療情報処理装置である医用画像撮影装置１においては、コード化された医療情報には対応できず、生成することもできない。従って、コード化された医療情報を示す、「Performed Protocol Code Sequence(0040,0260)」や「Anatomic Region Sequence (0008,2218)」については、薄い文字で示されている。
【００７８】
医用画像撮影装置１において生成された新たな医療情報であるテキスト化された医療情報は、医療情報の伝達経路上次の機器であるＰＡＣＳ２へ送信される。但し、このテキスト化された医療情報には対応するコード化された医療情報が存在するはずである。コード対応医療情報処理装置では、コード化された医療情報を取り扱うことができることから、コード非対応医療情報処理装置である医用画像撮影装置１から送信されて来たテキスト化された医療情報に基づいてコード化された医療情報を補填することが可能である。
【００７９】
そこで、コード対応医療情報処理装置であるＰＡＣＳ２では、自身が保持するテキスト化された医療情報とコード化された医療情報との対応表（以下、当該対応表を「マッピングテーブル」と表わす。）を基に、テキスト化された医療情報からコード化された医療情報を抽出し、補填する。
【００８０】
図１０は、実施の形態におけるマッピングテーブルＭの一例を示す説明図である。このマッピングテーブルＭでは、「Body Part Examined」と「Anatomic Region Code」との定義について規定されている。テキスト化された医療情報に該当するのは、「Body Part Examined」であり、上述したように医用画像撮影装置１では、当該「Body Part Examined」のみが生成されることになる。但し、当該テキスト化された医療情報のみではコード化された医療情報は補填できない。
【００８１】
そこで、図１０に示すようなマッピングテーブルＭを利用することによって、テキスト化された医療情報からコード化された医療情報を推測する。図９においては詳細が示されていないが、「Body Part Examined」から「Anatomic Region Code」が把握され、結果として、「Anatomic Region Sequence (0008,2218)」が推測され、コード化された医療情報として補填される。
【００８２】
なお、図１０に示すマッピングテーブルＭは利用できないが、他のマッピングテーブルを利用することによって、図９のテキスト化された医療情報である「Performed Procedure Step Description(0040,0254)」を基に、コード化された医療情報である「Performed Protocol Code Sequence(0040,0260)」及び、この医療情報に付随する４つの医療情報を推測し、補填することが可能となる。
【００８３】
これまで説明したマッピングテーブルは、コード対応医療情報処理装置が個々に備えていても良く、或いは、医療機関Ｈ内に構築されるシステムの中に備えられる、例えば、サーバ装置等の記憶装置内に格納されていても良い。
【００８４】
さらに、コード対応医療情報処理装置がマッピングテーブルを利用してテキスト化された医療情報からコード化された医療情報を推測し、補填する処理を行った後、当該テキスト化された医療情報とコード化された医療情報との関係を利用したマッピングテーブルにフィードバックしていくことによって、マッピングテーブルが規定する情報を蓄積していくことも可能である。
【００８５】
マッピングテーブルにテキスト化された医療情報とコード化された医療情報との関係が規定されていないと、マッピングテーブルを参照してもテキスト化された医療情報からコード化された医療情報を補填することはできない。このような場合、コード化された医療情報がなくテキスト化された医療情報のみを受信したコード対応医療情報処理装置においても補填はできず、そのまま当該テキスト化された医療情報を下位の機器へとそのまま伝達することになる。
【００８６】
但し、当該テキスト化された医療情報に対応するコード化された医療情報に関する情報を別の機器から取得した場合には、当該関係をマッピングテーブルに反映させておくことで、次の機会に当該テキスト化された医療情報を受信した場合に、適切にコード化された医療情報を補填することができるようになる。このようにしてもマッピングテーブルが規定する情報を蓄積していくことが可能である。
【００８７】
特にマッピングテーブルを医療情報の伝達経路上のいずれかの機器において単独で保持しているような場合には、テキスト化された医療情報とコード化された医療情報との関係に関する情報が適宜他の機器からもたらされることになるため、迅速に両者を規定する情報が蓄積していくものと思われる。
【００８８】
以上、テキスト化された医療情報からコード化された医療情報を補填する方法を説明してきた。
【００８９】
次に、コード化された医療情報からテキスト化された医療情報を補填する方法について説明する。
【００９０】
すなわち、これまで説明してきた例は、医療情報の伝達経路上にコード化された医療情報を取り扱うことができないコード非対応医療情報処理装置が設置されている場合に、伝達経路の上流、或いは、下流においてコード化された医療情報を取り扱うことができるコード対応医療情報処理装置において、コード非対応医療情報処理装置においてコード化された医療情報が欠落することのないよう補填の処理を行うものであった。
【００９１】
一方、コード化された医療情報はあるものの、テキスト化された医療情報が欠落している場合も考えられる。このような状態に対応できないと、このままでは、例えば、医療情報の伝達経路において、コード対応医療情報処理装置よりも下流にテキスト化された医療情報しか取り扱うことができないコード非対応医療情報処理装置が設置されている場合、当該コード非対応医療情報処理装置においては取り扱うことのできる医療情報がなくなってしまうことになる。この点で、これまではコード化された医療情報の補填について説明してきたが、以下ではテキスト化された医療情報の補填であり、逆の場合となる。
【００９２】
そこで、コード化された医療情報を基にテキスト化された医療情報を補填する場合について説明する。すなわち、例えば、コード対応医療情報処理装置において取得（撮影）された医用画像に関して、コード化された医療情報は存在するものの、テキスト化された医療情報が存在しない場合である。また、以下においては、オーダシステムＯＳ、ＰＡＣＳ２の他に、医用画像撮影装置１もコード対応医療情報処理装置であることを前提として説明する。
【００９３】
図１１は、実施の形態における医療情報処理システムＳの医用画像撮影装置１ａにて生成される医療情報の別の例を示す説明図である。医用画像撮影装置１ａにおいて医用画像が撮影（取得）されると、医用画像撮影装置１ａは、医療情報を生成する。医用画像撮影装置１において生成された医療情報は、当該医用画像に格納されている。当該医用画像撮影装置１ａはコード化された医療情報を取り扱うことが可能なコード対応医療情報処理装置であることからテキスト化された医療情報についても生成されるはずであるが、例えば、図１１に示すようにテキスト化された医療情報が欠ける場合がある。
【００９４】
図１１においては、欠けている医療情報として、３つテキスト化された医療情報が示されている。すなわち薄い文字で示されている、「＜ｎｅｗ＞」の欄における、「Performed Procedure Step Description(0040,0254)」、「Body Part Examined (0018,0015)」、及び、「＜ｒｅｆ＞」の欄における「Scheduled Procedure Step Description(0040,0007)」である。一方で、コード化された医療情報については、濃い文字で示されているように、欠落することなく医用画像撮影装置１ａからＰＡＣＳ２へと送信されている。
【００９５】
そこでこのテキスト化された医療情報が欠落している場合に、受信したＰＡＣＳ２においてコード化された医療情報からテキスト化された医療情報を補填する処理を行う。具体的には、コード化された医療情報のうち、「Code Meaning (0008,0104)」に着目し、当該コード化された医療情報の中に格納されているフリーテキストを用いて、テキスト化された医療情報の補填を行う。
【００９６】
例えば、図１１に示す符号Ｘで示す「Code Meaning (0008,0104)」内には、「Performed Procedure Step Description(0040,0254)」とのテキスト情報が含まれている。また、符号Ｙで示す、「Anatomic Region Sequence (0008,2218)」内には、「Body Part Examined (0018,0015)」が、さらに、符号Ｚで示す「Code Meaning (0008,0104)」内には、「Scheduled Procedure Step Description(0040,0007)」のテキスト情報が含まれている。そこで、テキスト化された医療情報が欠落している医療情報を受信したコード対応医療情報処理装置は、コード化された医療情報からテキスト化された医療情報を補填する。
【００９７】
図１２は、実施の形態におけるコード対応医療情報処理装置（医用画像撮影装置１ａ）から送信された医療情報についてコード対応医療情報処理装置（ＰＡＣＳ２）にて受信した際に、コード対応医療情報処理装置（ＰＡＣＳ２）において医療情報の補填を行う処理について説明する説明図である。上述したように、符号Ｘ，Ｙ，Ｚで表わされているテキスト化された医療情報は、図１１の符号Ｘ，Ｙ，Ｚで表わされている、上記各コード化された医療情報から補填された情報である。
【００９８】
以上のようにテキスト化された医療情報が欠落した医療情報であっても、コード化された医療情報から適切なテキスト情報を引き出すことによって、欠落しているテキスト化された医療情報を填補することができる。
【００９９】
以上説明した通り、テキスト化された医療情報とコード化された医療情報からなる医療情報が生成され、医療機関内に構築された伝達経路上を伝達していく中で、適宜欠落する医療情報を填補することが可能である。すなわち、伝達経路上に医療情報の種類によっては取り扱うことのできない非対応機器が配置されている場合であっても、非対応機器よりも伝達経路上下流に配置されており非対応機器から医療情報を受信した対応機器が非対応機器において取り扱うことができず欠落した医療情報を補填することが可能な対応機器であるコード対応医療情報処理装置及び医療情報処理システムを提供することができる。
【０１００】
また、この欠落した医療情報の補填は、テキスト化された医療情報、或いは、コード化された医療情報のいずれについても行うことができるため、コード非対応医療情報処理装置が伝達経路上に配置されていても、扱うことのできない医療情報がなくなるため、医療機関内において円滑、かつ正確な医療情報が伝達されることになる。
【０１０１】
さらに、このように医療機関内の伝達経路上を医療情報が円滑、かつ正確に伝達されていくことによって、医療機関内を巡る医療情報の正確性を担保することができるとともに、その後医療情報を利用する際にも混乱が生ずることがない。
【０１０２】
本発明の実施形態を説明したが、この実施形態は、例として提示したものであり、発明の範囲を限定することを意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【０１０３】
１    医用画像撮影装置
２    ＰＡＣＳ
３    読影装置
ＯＳ    オーダシステム
【図１】
2015095026.tif 000003
【図２】
2015095026.tif 000004
【図３】
2015095026.tif 000005
【図４】
2015095026.tif 000006
【図５】
2015095026.tif 000007
【図６】
2015095026.tif 000008
【図７】
2015095026.tif 000009
【図８】
2015095026.tif 000010
【図９】
2015095026.tif 000011
【図１０】
2015095026.tif 000012
【図１１】
2015095026.tif 000013
【図１２】
2015095026.tif 000014